(57)【要約】【課題】  Ｃ／Ｎマージンを測定する際に、ＡＷＧＮ法によるＰＲＢＳ信号を必要とすることなく、放送電波を受信して簡易に測定することができるＯＦＤＭ信号Ｃ／Ｎ生成装置を提供する。【解決手段】  ＯＦＤＭ信号生成装置１は、所望の搬送波対雑音比のＯＦＤＭ信号を生成するものであって、地上デジタル放送における中間周波数のＯＦＤＭ信号の一方を最大ガードインターバルより長い遅延時間分だけ遅延させる遅延手段３と、遅延されたＯＦＤＭ信号を近似的にホワイトガウス雑音源信号として、当該受信信号と当該ホワイトガウス雑音源信号とを所望のレベル比で合成する信号合成手段５と、を備えた。【選択図】      図１
2006115181.tif 000002
【特許請求の範囲】
【請求項１】
所望の搬送波対雑音比のＯＦＤＭ信号を生成するＯＦＤＭ信号Ｃ／Ｎ生成装置であって、
地上デジタル放送における中間周波数または無線周波数のＯＦＤＭ信号を、前記ＯＦＤＭ信号に含まれているガードインターバルを最大にした最大ガードインターバルよりも長い遅延時間分だけ遅延させる遅延手段と、
この遅延手段で前記遅延時間分だけ遅延させた遅延ＯＦＤＭ信号と、前記ＯＦＤＭ信号とを所望のレベル比で合成する信号合成手段と、
を備えることを特徴とするＯＦＤＭ信号Ｃ／Ｎ生成装置。
【請求項２】
所望の搬送波対雑音比のＯＦＤＭ信号を生成するＯＦＤＭ信号Ｃ／Ｎ生成装置であって、
所望のチャンネルの地上デジタル放送のＯＦＤＭ信号を、当該地上デジタル放送における中間周波数信号に変換する所望チャンネル受信変換手段と、
他のチャンネルの地上デジタル放送のＯＦＤＭ信号を、当該地上デジタル放送における中間周波数信号に変換する他チャンネル受信変換手段と、
前記所望チャンネル受信変換手段で変換した中間周波数信号と、前記他チャンネル受信変換手段で変換した中間周波数信号とを所望のレベル比で合成する中間周波数信号合成手段と、
を備えることを特徴とするＯＦＤＭ信号Ｃ／Ｎ生成装置。
【請求項３】
所望の搬送波対雑音比のＯＦＤＭ信号を生成するＯＦＤＭ信号Ｃ／Ｎ生成装置であって、
所望のチャンネルの地上デジタル放送のＯＦＤＭ信号を、当該地上デジタル放送における中間周波数信号に変換する所望チャンネル受信変換手段と、
この所望チャンネル受信変換手段で受信している所望のチャンネルと同一チャンネルの異種内容のＯＦＤＭ信号の中間周波数信号とする同一チャンネル異種内容信号受信変換手段と、
前記所望チャンネル受信変換手段で変換した中間周波数信号と、前記同一チャンネル異種内容信号受信変換手段で変換した中間周波数信号とを所望のレベル比で合成する中間周波数信号合成手段と、
を備えることを特徴とするＯＦＤＭ信号Ｃ／Ｎ生成装置。
【請求項４】
所望の搬送波対雑音比のＯＦＤＭ信号を生成するＯＦＤＭ信号Ｃ／Ｎ生成装置であって、
所望チャンネルの地上デジタル放送のＯＦＤＭ信号の中心周波数よりも中間周波数だけ高い局部発振周波数信号と、前記中心周波数よりも中間周波数だけ低い局部発振周波数信号とを生成する局部発振周波数信号生成手段と、
地上デジタル放送における無線周波数のＯＦＤＭ信号と、前記局部発振周波数信号生成手段で生成した、前記中心周波数よりも中間周波数だけ高い局部発振周波数信号とに基づいて、スペクトルのキャリア配置が反転した反転中間周波数信号とする第一受信変換手段と、
前記地上デジタル放送における無線周波数のＯＦＤＭ信号と、前記局部発振周波数信号生成手段で生成した、前記中心周波数よりも中間周波数だけ低い局部発振周波数信号とに基づいて、スペクトルのキャリア配置が非反転の非反転中間周波数信号とする第二受信変換手段と、
前記第一受信変換手段で得られた反転中間周波数信号と、前記第二受信変換手段で得られた非反転中間周波数信号とを所望のレベル比で合成する信号合成手段と、
を備えることを特徴とするＯＦＤＭ信号Ｃ／Ｎ生成装置。
【請求項５】
前記信号合成手段、または、前記中間周波数信号合成手段で合成された結果を復調する復調手段を備えたことを特徴とする請求項１ないし請求項４のいずれか一項に記載のＯＦＤＭ信号Ｃ／Ｎ生成装置。
【発明の詳細な説明】
【技術分野】
【０００１】
本発明は、地上デジタル放送において、所望の搬送波対雑音比のＯＦＤＭ信号を生成するＯＦＤＭ信号Ｃ／Ｎ生成装置に関する。
【背景技術】
【０００２】
一般に、地上デジタル放送においては、送信側から受信側までの伝送路上で、送信側のアンプ特性が悪化したり、中継後のローカル信号の位相雑音が大きくなったりする等の様々な要因によりＣＮ劣化が生じる。しかし、デジタル特有の現象であるクリフ・エフェクト（Ｃｌｉｆｆ  Ｅｆｆｅｃｔ）があるため、受信側で受信している地上デジタル放送電波の搬送波対雑音比（Ｃ／Ｎ、ＣＮ比）が閾値であるスレッショールド（Ｔｈｒｅｓｈｏｌｄ）よりも少しでも高ければ、受信状態が良好（受信画質が高品質）に保たれるが、スレッショールド以下になると、急激に受信状態が悪化する。
【０００３】
このため、送信側から受信側まであらゆる場所（箇所）において、受信状態が良好な場所であっても、実際の搬送波雑音比とスレッショールドとの差（Ｃ／Ｎマージン）がどの程度あるかを把握することが重要となる。
【０００４】
従来、Ｃ／Ｎマージン、Ｃ／Ｎまたは等価Ｃ／Ｎ劣化量の測定は、地上デジタル放送電波の品質評価のために行われていた。これらの測定は、通常、ＯＦＤＭ信号を、ＰＲＢＳ（Ｐｓｅｕｄｏ  Ｒａｎｄｏｍ  Ｂｉｎａｒｙ  Ｓｅｑｕｅｎｃｅ）信号で変調し、ＡＷＧＮ（Ａｄｄｉｔｉｖｅ  Ｗｈｉｔｅ  Ｇａｕｓｓｉａｎ  Ｎｏｉｓｅ）法によって、Ｃ／Ｎ−ＢＥＲ（Ｂｉｔ  Ｅｒｒｏｒ  Ｒａｔｅ）の関係から、間接的に行われてきた（例えば、特許文献１参照）。
【特許文献１】特開２００１−１６１８３号公報（発明の実施の形態全文、図１）
【発明の開示】
【発明が解決しようとする課題】
【０００５】
しかしながら、従来のＡＷＧＮ法による、Ｃ／Ｎマージン、Ｃ／Ｎまたは等価Ｃ／Ｎ劣化量の測定（Ｃ／Ｎマージンは搬送波雑音比とスレッショールドＣ／Ｎとの差、Ｃ／Ｎは搬送波対雑音比そのもの、等価Ｃ／Ｎ劣化量はビット誤り率が所定値（例えば、２×１０-4）となる点のＣ／Ｎと理論値Ｃ／Ｎ（ビット誤り率が所定値となる理論的なＣ／Ｎ）との差）では、ＯＦＤＭ信号の変調信号をＰＲＢＳ信号とする必要があり、Ｃ／Ｎ−ＢＥＲ特性を測定するために、ガウス雑音源やＢＥＲ測定装置等の大掛かりな機材が必要になる上に、Ｃ／Ｎマージン、Ｃ／Ｎまたは等価Ｃ／Ｎ劣化量を測定するまでに多大な時間を要するという問題がある。
【０００６】
そこで、本発明では、前記した問題を解決し、Ｃ／Ｎマージンを測定する際に、ＰＲＢＳ信号による変調を必要とすることなく、放送電波を受信して簡易に測定することができるＯＦＤＭ信号Ｃ／Ｎ生成装置を提供することを目的とする。
【課題を解決するための手段】
【０００７】
前記課題を解決するため、請求項１記載のＯＦＤＭ信号Ｃ／Ｎ生成装置は、所望の搬送波対雑音比のＯＦＤＭ信号を生成するＯＦＤＭ信号Ｃ／Ｎ生成装置であって、遅延手段と、信号合成手段と、を備える構成とした。
【０００８】
かかる構成によれば、ＯＦＤＭ信号Ｃ／Ｎ生成装置は、遅延手段によって、地上デジタル放送における中間周波数または無線周波数のＯＦＤＭ信号を、ＯＦＤＭ信号に含まれているガードインターバルを最大にした最大ガードインターバルよりも長い遅延時間分だけ遅延させる。ここで、最大ガードインターバルよりも長い遅延時間分だけ遅延させることで、単なる遅延波としてではなく、ホワイトガウス雑音源からの信号とみなすことができる。つまり、最大ガードインターバルよりも長いＯＦＤＭ信号を意図的に混在させることで、所望のＣ／Ｎを生成することができる。
【０００９】
ＯＦＤＭ信号Ｃ／Ｎ生成装置は、信号合成手段によって、遅延手段で遅延時間分だけ遅延されたＯＦＤＭ信号（遅延ＯＦＤＭ信号）、または、遅延されなかったＯＦＤＭ信号のそれぞれを、所望の信号である受信信号、または、ホワイトガウス雑音源の特性に近似したホワイトガウス雑音源信号とし、当該受信信号と当該ホワイトガウス雑音源信号とを所望のレベル比で合成する。つまり、所望のレベル比で合成することで、所望の搬送波対雑音比のＯＦＤＭ信号が生成されることになる。
【００１０】
請求項２記載のＯＦＤＭ信号Ｃ／Ｎ生成装置は、所望の搬送波対雑音比のＯＦＤＭ信号を生成するＯＦＤＭ信号Ｃ／Ｎ生成装置であって、所望チャンネル受信変換手段と、他チャンネル受信変換手段と、中間周波数信号合成手段と、を備える構成とした。
【００１１】
かかる構成によれば、ＯＦＤＭ信号Ｃ／Ｎ生成装置は、所望チャンネル受信変換手段によって、所望のチャンネルの地上デジタル放送を、当該地上デジタル放送における中間周波数信号に変換し、他チャンネル受信変換手段によって、他のチャンネルの地上デジタル放送を、当該地上デジタル放送における中間周波数信号に変換する。そして、ＯＦＤＭ信号Ｃ／Ｎ生成装置は、中間周波数信号合成手段によって、所望チャンネル受信変換手段で変換した中間周波数信号と、他チャンネル受信変換手段で変換した中間周波数信号とを所望のレベル比で合成する。ここでは、所望のチャンネルの地上デジタル放送と、他のチャンネルの地上デジタル放送とを用いて、前者の中間周波数信号を被測定電波の受信信号とし、後者の中間周波数信号をホワイトガウス雑音の特性に近似したホワイトガウス雑音源信号として、これらを合成して、所望の搬送波対雑音比のＯＦＤＭ信号を生成している。
【００１２】
請求項３記載のＯＦＤＭ信号Ｃ／Ｎ生成装置は、所望の搬送波対雑音比のＯＦＤＭ信号を生成するＯＦＤＭ信号Ｃ／Ｎ生成装置であって、所望チャンネル受信変換手段と、同一チャンネル異種内容信号受信変換手段と、無線周波数信号合成手段と、を備える構成とした。
【００１３】
かかる構成によれば、ＯＦＤＭ信号Ｃ／Ｎ生成装置は、所望チャンネル受信変換手段によって、所望のチャンネルの地上デジタル放送を、当該地上デジタル放送における中間周波数信号に変換し、同一チャンネル異種内容信号受信変換手段によって、所望チャンネル受信変換手段で受信している所望のチャンネルと同一チャンネルの異種内容のＯＦＤＭ信号の中間周波数信号を得る。そして、ＯＦＤＭ信号生成装置は、中間周波数信号成手段によって、所望チャンネル受信変換手段で変換した中間周波数信号と、同一チャンネル異種内容信号受信変換手段で得た中間周波数信号とを所望のレベル比で合成する。ここでは、所望のチャンネルの地上デジタル放送と、同一チャンネルの異種内容（雑音という意味）信号とを用いて、一方の中間周波数信号を被測定電波の受信信号とし、他方の中間周波数信号をホワイトガウス雑音の特性に近似したホワイトガウス雑音源信号として、これらを合成して、所望の搬送波対雑音比のＯＦＤＭ信号を生成している。
【００１４】
請求項４記載のＯＦＤＭ信号Ｃ／Ｎ生成装置は、所望の搬送波対雑音比のＯＦＤＭ信号を生成するＯＦＤＭ信号Ｃ／Ｎ生成装置であって、局部発振周波数信号生成手段と、第一受信変換手段と、第二受信変換手段と、信号合成手段と、を備える構成とした。
【００１５】
かかる構成によれば、ＯＦＤＭ信号Ｃ／Ｎ生成装置は、局部発振周波数信号生成手段によって、所望チャンネルの地上デジタル放送のＯＦＤＭ信号の中心周波数よりも中間周波数だけ高い局部発振周波数信号と、当該中心周波数よりも中間周波数だけ低い局部発振周波数信号とを生成する。この局部発振周波数信号生成手段は、例えば、局部発振回路、乗算器、バンドパスフィルタ等によって構成されている。
【００１６】
続いて、ＯＦＤＭ信号Ｃ／Ｎ生成装置は、第一受信変換手段によって、地上デジタル放送の無線周波数のＯＦＤＭ信号と、局部発振周波数信号生成手段で生成した、中心周波数よりも中間周波数だけ高い局部発振周波数信号とに基づいて、スペクトルのキャリア配置が反転した反転中間周波数信号とする。また、ＯＦＤＭ信号Ｃ／Ｎ生成装置は、第二受信変換手段によって、地上デジタル放送の無線周波数のＯＦＤＭ信号と、局部発振周波数信号生成手段で生成した、中心周波数よりも中間周波数だけ低い局部発振周波数信号とに基づいて、スペクトルのキャリア配置が非反転の非反転中間周波数信号とする。
【００１７】
そして、ＯＦＤＭ信号Ｃ／Ｎ生成装置は、信号合成手段によって、第一受信変換手段で得られた反転中間周波数信号と、第二受信変換手段で得られた非反転中間周波数信号とを所望のレベル比で合成する。ここでは、スペクトルのキャリア配置が反転した２つの中間周波数信号を得て、スペクトルのキャリア配置が反転した反転中間周波数信号を受信信号とし、スペクトルのキャリア配置が非反転の非反転中間周波数信号をホワイトガウス雑音の特性に近似したホワイトガウス雑音源信号として、これらを合成して、所望の搬送波対雑音比のＯＦＤＭ信号を生成している。
【００１８】
請求項５記載のＯＦＤＭ信号Ｃ／Ｎ生成装置は、請求項１ないし請求項４のいずれか一項に記載のＯＦＤＭ信号Ｃ／Ｎ生成装置において、前記信号合成手段、または、前記中間周波数信号合成手段で合成された結果を復調する復調手段を備えたことを特徴とする。
【００１９】
かかる構成によれば、ＯＦＤＭ信号Ｃ／Ｎ生成装置は、復調手段によって、合成された結果を復調することで、Ｃ／Ｎマージン、Ｃ／Ｎまたは等価Ｃ／Ｎ劣化量の測定若しくは確認を行うことができる。
【発明の効果】
【００２０】
請求項１記載の発明によれば、最大ガードインターバルよりも長い遅延時間分だけ遅延させたＯＦＤＭ信号の一方または他方それぞれを、受信信号またはホワイトガウス雑音源信号とみなして、当該受信信号と当該ホワイトガウス雑音源信号とを所望のレベル比で合成する。つまり、所望のレベル比で合成することで、所望の搬送波対雑音比のＯＦＤＭ信号を生成しているので、この生成したＯＦＤＭ信号（ＯＦＤＭ信号Ｃ／Ｎ）を用いれば、送信側から受信側までに至るあるゆる場所において、従来行われていたＡＷＧＮ法によるＰＲＢＳ信号のような特殊信号で変調する必要がなく、Ｃ／Ｎ（搬送波対雑音比）、等価Ｃ／Ｎ劣化量、Ｃ／Ｎマージンを測定することができる。
【００２１】
請求項２記載の発明によれば、所望のチャンネルの地上デジタル放送のＯＦＤＭ信号と、他のチャンネルの地上デジタル放送のＯＦＤＭ信号とを用いて、一方の中間周波数信号を被測定電波の受信信号とし、他方の中間周波数信号をホワイトガウス雑音の特性に近似したホワイトガウス雑音源信号として、所望のレベル比で合成することで、所望の搬送波対雑音比のＯＦＤＭ信号を生成しているので、送信側から受信側までに至るあるゆる場所において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００２２】
請求項３記載の発明によれば、所望のチャンネルの地上デジタル放送のＯＦＤＭ信号と、同一チャンネルの異種内容のＯＦＤＭ信号とを用いて、一方の中間周波数信号を被測定電波の受信信号とし、他方の中間周波数信号をホワイトガウス雑音の特性に近似したホワイトガウス雑音源信号として、所望のレベル比で合成することで、所望の搬送波対雑音比のＯＦＤＭ信号を生成しているので、送信側（異種内容のＯＦＤＭ信号は送信側にしか存在していない）において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００２３】
請求項４記載の発明によれば、中間周波数信号を生成し、地上デジタル放送の無線周波数信号を用いて、この無線周波数信号と生成した中間周波数信号とによりスペクトルのキャリア配置が反転した中間周波数信号を受信信号とし、無線周波数信号と生成した中間周波数信号とによりスペクトルのキャリア配置が非反転の中間周波数信号をホワイトガウス雑音の特性に近似したホワイトガウス雑音源信号として、所望のレベル比で合成することで、所望の搬送波対雑音比のＯＦＤＭ信号を生成しているので、送信側から受信側までに至るあるゆる場所において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００２４】
請求項５記載の発明によれば、合成された結果を復調することで、Ｃ／Ｎマージン、Ｃ／Ｎまたは等価Ｃ／Ｎ劣化量の測定若しくは確認を行うことができる。
【発明を実施するための最良の形態】
【００２５】
次に、本発明の実施形態について、適宜、図面を参照しながら詳細に説明する。
ここでは、第一実施形態から第四実施形態までの４つの形態のＯＦＤＭ信号生成装置の構成と動作について説明する。
【００２６】
〈ＯＦＤＭ信号生成装置の構成（第一実施形態）〉
図１は、ＯＦＤＭ信号生成装置（第一実施形態）のブロック図である。この図１に示すように、ＯＦＤＭ信号生成装置（ＯＦＤＭ信号Ｃ／Ｎ生成装置）１Ａ（１）は、地上デジタル放送において、所望の搬送波対雑音比（Ｃ／Ｎ、ＣＮ比）のＯＦＤＭ信号を生成するもので、遅延手段３と、信号合成手段５と、復調手段７とを備えている。搬送波対雑音比は、ＯＦＤＭ信号の搬送波の電力と、ＯＦＤＭ信号が送信側から受信側に至る伝送路中に混在してしまう雑音電力との比を示したものである。なお、ホワイトガウス雑音（白色ガウス雑音、Ｗｈｉｔｅ  Ｇａｕｓｓｉａｎ  Ｎｏｉｓｅ）は、すべての周波数において、電力スペクトルが一定となるような雑音であり、実際の伝送路上では熱雑音等に起因する雑音である。
【００２７】
遅延手段３は、地上デジタル放送における中間周波数（ＩＦ：Ｉｎｔｅｒｍｅｄｉａｔｅ  Ｆｒｅｑｕｅｎｃｙ）または無線周波数（ＲＦ：Ｒａｄｉｏ  Ｆｒｅｑｕｅｎｃｙ）のＯＦＤＭ信号が分配（分岐）された一方を、当該ＯＦＤＭ信号に含まれているガードインターバルを最大にした最大ガードインターバルよりも長い遅延時間分だけ遅延させるものである。
【００２８】
中間周波数は、ＯＦＤＭ信号の送信側と受信側とで用いられる送受信機内部で用いられる内部周波数のことであり、受信側で受信した信号を増幅したり、周波数を選択したりするのを容易にするためのものである。
無線周波数は、一般に高周波を意味している。ここでは、放送波の送信周波数を意味している。
【００２９】
ガードインターバルは、反射波や遅延波等によるマルチパスを防止するために、当該ＯＦＤＭ信号の有効シンボルの一部（何分の一か）をコピーして当該有効シンボルに付加するものである。ちなみに、地上デジタル放送におけるＯＦＤＭ信号の放送方式を規定したモード１からモード３において、モード１では、有効シンボルの長さ（時間長）である有効シンボル長が２５２μｓに設定されており、ガードインターバルの長さであるガードインターバル長が６３μｓ（１／４）、３１．５μｓ（１／８）、１５．７５μｓ（１／１６）または７．８７５μｓ（１／３２）に設定されている。
【００３０】
また、モード２では、有効シンボル長が５０４μｓに設定されており、ガードインターバル長が１２６μｓ（１／４）、６３μｓ（１／８）、３１．５μｓ（１／１６）または１５．７５μｓ（１／３２）に設定されている。モード３では、有効シンボル長が１００８μｓに設定されており、ガードインターバル長が２５２μｓ（１／４）、１２６μｓ（１／８）、６３μｓ（１／１６）または３１．５μｓ（１／３２）に設定されている。
【００３１】
最大ガードインターバルよりも長い遅延時間分とは、全パラメータ中最も長い２５２μｓよりも長い時間を意味する。
【００３２】
信号合成手段５は、遅延手段３で最大ガードインターバル長よりも長い遅延時間分だけ遅延されたＯＦＤＭ信号の一方と、ＯＦＤＭ信号の他方（分配［分岐］されたＯＦＤＭ信号）とを合成（加算）するもので、レベル調整手段５ａを備えている。この信号合成手段５は、ＯＦＤＭ信号の一方、または、ＯＦＤＭ信号の他方のそれぞれを、所望の信号である受信信号（被測定信号）、または、ホワイトガウス雑音源の特性に近似したホワイトガウス雑音源信号として、レベル調整手段５ａによって、受信信号またはホワイトガウス雑音源信号のどちらかのレベルを調整して合成するものである。
【００３３】
レベル調整手段５ａは、可変抵抗等によって構成されており、ホワイトガウス雑音源信号のレベル（電力レベル）を調整するものである。なお、この実施形態では、遅延手段３で遅延されたＯＦＤＭ信号のレベルを調整している。
【００３４】
この信号合成手段５によって、レベル調整手段５ａで、レベルを調整したホワイトガウス雑音源信号と、レベルを調整しなかった受信信号とが合成されることで、所望の搬送波対雑音比（Ｃ／Ｎ、ＣＮ比）のＯＦＤＭ信号が生成されることになる。
【００３５】
復調手段７は、信号合成手段５で合成された結果、つまり、所望の搬送波対雑音比のＯＦＤＭ信号を復調して、外部に接続される装置（機器）に出力するものである。外部に接続される装置（機器）とは、映像・音声／データモニタ（映像音声データ出力装置）、ＢＥＲ測定器、コンスタレーション表示装置（ＯＦＤＭ信号の信号配置図を表示可能なオシロスコープ等）、ＭＥＲ測定器等である。
【００３６】
なお、この復調手段７は、ＢＥＲ測定器、コンスタレーション表示装置およびＭＥＲ測定器等に接続させなくても、これらの機能を内部に組み込むことで、ＢＥＲやＭＥＲを測定したり、コンスタレーション（信号配置図）を描いたりして、表示手段（図示せず）に表示させることも可能である。
【００３７】
このＯＦＤＭ信号生成装置１Ａによれば、入力されたＯＦＤＭ信号の一方を、遅延手段３によって、最大ガードインターバルよりも長い遅延時間分だけ遅延させ、この遅延させたＯＦＤＭ信号または入力されたＯＦＤＭ信号の他方それぞれを、受信信号またはホワイトガウス雑音源信号とし、当該受信信号と当該ホワイトガウス雑音源信号とを所望のレベル比で合成する。つまり、所望のレベル比で合成することで、所望の搬送波対雑音比のＯＦＤＭ信号を生成しているので、送信側から受信側までに至るあるゆる場所において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００３８】
〈ＯＦＤＭ信号生成装置の動作（第一実施形態）〉
次に、図２に示すフローチャートを参照して、ＯＦＤＭ信号生成装置１Ａの動作について説明する（適宜、図１参照）。
まず、ＯＦＤＭ信号生成装置１Ａは、入力されたＯＦＤＭ信号を２つに分配し（分岐させ）、遅延手段３と信号合成手段５とに入力する（ステップＳ１）。続いて、ＯＦＤＭ信号生成装置１Ａは、遅延手段３によって、ＯＦＤＭ信号の一方を、最大ガードインターバルよりも長い遅延時間分だけ遅延させる（ステップＳ２）。
【００３９】
そして、ＯＦＤＭ信号生成装置１Ａは、信号合成手段５のレベル調整手段５ａによって、入力されたＯＦＤＭ信号の他方、または、遅延手段３で遅延されたＯＦＤＭ信号のレベルを調整し（ステップＳ３）、信号合成手段５によって、レベルを調整したＯＦＤＭ信号とレベルを調整しなかったＯＦＤＭ信号とのいずれかを、受信信号またはホワイトガウス雑音源信号として、合成（加算）する（ステップＳ４）。
【００４０】
その後、ＯＦＤＭ信号生成装置１Ａは、復調手段７によって、信号合成手段５で合成した結果（所望の搬送波対雑音比のＯＦＤＭ信号）を復調して、外部に接続されている装置に出力する（ステップＳ５）。
【００４１】
〈ＯＦＤＭ信号生成装置の構成（第二実施形態）〉
図３は、ＯＦＤＭ信号生成装置（第二実施形態）のブロック図である。この図３に示すように、ＯＦＤＭ信号生成装置（ＯＦＤＭ信号Ｃ／Ｎ生成装置）１Ｂ（１）は、地上デジタル放送において、所望の搬送波対雑音比（Ｃ／Ｎ、ＣＮ比）のＯＦＤＭ信号を生成するもので、所望チャンネル受信変換手段９と、他チャンネル受信変換手段１１と、中間周波数信号合成手段１３と、復調手段７とを備えている。なお、図１に示したＯＦＤＭ信号生成装置１Ａに含まれている構成と同様の構成については、同一の符号を付して、その説明を省略する。
【００４２】
所望チャンネル受信変換手段９は、搬送波対雑音比やＣ／Ｎマージン等を当該装置１Ｂの使用者が測定したいチャンネルである所望チャンネルの地上デジタル放送のＯＦＤＭ信号を、中間周波数信号に変換するものである。この所望チャンネル受信変換手段９で変換された中間周波数信号は、受信信号、または、被測定信号といえる。
【００４３】
他チャンネル受信変換手段１１は、所望チャンネルとは異なる他チャンネルの地上デジタル放送のＯＦＤＭ信号を、中間周波数信号に変換するものである。この他チャンネル受信変換手段１１で変換された中間周波数信号は、ホワイトガウス雑音源信号、または、疑似ガウス雑音源からの信号といえる。
【００４４】
なお、所望チャンネル受信変換手段９と他チャンネル受信変換手段１１とでは、ＯＦＤＭ信号を変換（受信変換）する際に、同じアンテナからの入力・同一入力レベル・同一ＡＧＣ（Ａｕｔｏｍａｔｉｃ  Ｇａｉｎ  Ｃｏｎｔｒｏｌ：自動利得制御）レベルにすることとしている。
【００４５】
中間周波数信号合成手段１３は、所望チャンネル受信変換手段９で変換された中間周波数信号と、他チャンネル受信変換手段１１で変換された中間周波数信号とを所望のレベル比で合成（加算）するもので、レベル調整手段１３ａを備えている。
【００４６】
レベル調整手段１３ａは、可変抵抗（ＡＴＴｅｎｕａｔｉｏｎ：減衰量Ｌ）等によって構成されており、他チャンネル受信変換手段１１で変換された中間周波数信号のレベル（電力レベル）を調整するものである。
【００４７】
なお、この実施形態では、他チャンネル受信変換手段１１で変換された中間周波数信号（ホワイトガウス雑音源信号）のレベルを調整している。そうすると、このホワイトガウス雑音源信号のレベルＮGは、搬送波のレベルＣからレベル調整手段１３ａによる減衰量Ｌを減算したもの、つまり、ＮG＝Ｃ−Ｌ（ｄＢ）となる。
【００４８】
その結果、ＯＦＤＭ信号生成装置１Ｂでは、別にホワイトガウス雑音源信号のレベルＮGを測定することなく、中間周波数信号合成手段１３によって、適当な範囲で任意の搬送波対雑音比の中間周波数信号を得ることができる。
【００４９】
このＯＦＤＭ信号生成装置１Ｂによれば、所望のチャンネルの地上デジタル放送のＯＦＤＭ信号と、他のチャンネルの地上デジタル放送のＯＦＤＭ信号とを用いて、所望チャンネル受信変換手段９と他チャンネル受信変換手段１１とにより、前者の中間周波数信号を被測定電波の受信信号とし、後者の中間周波数信号をホワイトガウス雑音の特性に近似したホワイトガウス雑音源信号として、中間周波数信号合成手段１３により所望のレベル比で合成することで、所望の搬送波対雑音比のＯＦＤＭ信号を生成しているので、送信側から受信側までに至るあるゆる場所において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００５０】
〈ＯＦＤＭ信号生成装置の動作（第二実施形態）〉
次に、図４に示すフローチャートを参照して、ＯＦＤＭ信号生成装置１Ｂの動作について説明する（適宜、図３参照）。
まず、ＯＦＤＭ信号生成装置１Ｂは、入力されたＯＦＤＭ信号を２つに分配し（分岐させ）、所望チャンネル受信変換手段９と他チャンネル受信変換手段１１とに入力する（ステップＳ１１）。続いて、ＯＦＤＭ信号生成装置１Ｂは、所望チャンネル受信変換手段９によって、所望のチャンネルの地上デジタル放送のＯＦＤＭ信号を中間周波数信号に変換し（ステップＳ１２）、他チャンネル受信変換手段１１によって、他のチャンネルの地上デジタル放送のＯＦＤＭ信号を中間周波数信号に変換する（ステップＳ１３）。
【００５１】
そして、ＯＦＤＭ信号生成装置１Ｂは、中間周波数信号合成手段１３のレベル調整手段１３ａによって、他チャンネル受信変換手段１１で変換された中間周波数信号のレベルを調整し（ステップＳ１４）、中間周波数信号合成手段１３によって、レベルを調整した中間周波数信号とレベルを調整しなかった中間周波数信号とを、受信信号およびホワイトガウス雑音源信号として、合成（加算）する（ステップＳ１５）。
【００５２】
その後、ＯＦＤＭ信号生成装置１Ｂは、復調手段７によって、中間周波数信号合成手段１３で合成した結果（所望の搬送波対雑音比のＯＦＤＭ信号）を復調して、外部に接続されている装置に出力する（ステップＳ１６）。
【００５３】
〈ＯＦＤＭ信号生成装置の構成（第三実施形態）〉
図５は、ＯＦＤＭ信号生成装置（第三実施形態）のブロック図である。この図５に示すように、ＯＦＤＭ信号生成装置（ＯＦＤＭ信号Ｃ／Ｎ生成装置）１Ｃ（１）は、地上デジタル放送において、所望の搬送波対雑音比（Ｃ／Ｎ、ＣＮ比）のＯＦＤＭ信号を生成するもので、所望チャンネル受信変換手段９と、同一チャンネル受信変換手段１５と、無線周波数信号合成手段１７と、復調手段７とを備えている。なお、図１に示したＯＦＤＭ信号生成装置１Ａと図３に示したＯＦＤＭ信号生成装置１Ｂとに含まれている構成と同様の構成については、同一の符号を付して、その説明を省略する。
【００５４】
同一チャンネル異種内容信号受信変換手段１５は、所望チャンネルと同一のチャンネルの異種内容のＯＦＤＭ信号を、中間周波数信号とする（取得する）ものである。この同一チャンネル異種内容信号受信変換手段１１で得られた中間周波数信号は、近似的にホワイトガウス雑音源信号、または、疑似ガウス雑音源からの信号とみなすことができる。
【００５５】
なお、所望チャンネル受信変換手段９と同一チャンネル異種内容信号受信変換手段１５とでは、ＯＦＤＭ信号を変換（受信変換）する際に、同じアンテナからの入力・同一入力レベル・同一ＡＧＣ（Ａｕｔｏｍａｔｉｃ  Ｇａｉｎ  Ｃｏｎｔｒｏｌ：自動利得制御）レベルにすることとしている。
【００５６】
中間周波数信号合成手段１７は、所望チャンネル受信変換手段９で変換された中間周波数信号と、同一チャンネル受信変換手段１５で得られた中間周波数信号とを所望のレベル比で合成（加算）するもので、レベル調整手段１７ａを備えている。
【００５７】
レベル調整手段１７ａは、可変抵抗（ＡＴＴｅｎｕａｔｉｏｎ：減衰量Ｌ）等によって構成されており、同一チャンネル受信変換手段１５で変換された中間周波数信号のレベル（電力レベル）を調整するものである。
【００５８】
このＯＦＤＭ信号生成装置１Ｃによれば、所望のチャンネルの地上デジタル放送のＯＦＤＭ信号と、同一チャンネルの異種内容のＯＦＤＭ信号とを用いて、所望チャンネル受信変換手段９と同一チャンネル受信変換手段１５とにより、一方の中間周波数信号を被測定電波の受信信号とし、他方の中間周波数信号をホワイトガウス雑音の特性に近似したホワイトガウス雑音源信号として、中間周波数信号合成手段１７により所望のレベル比で合成することで、所望の搬送波対雑音比のＯＦＤＭ信号を生成しているので、送信側において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００５９】
〈ＯＦＤＭ信号生成装置の動作（第三実施形態）〉
次に、図６に示すフローチャートを参照して、ＯＦＤＭ信号生成装置１Ｃの動作について説明する（適宜、図５参照）。
まずＯＦＤＭ信号生成装置１Ｃは、入力されたＯＦＤＭ信号を所望チャンネル受信変換手段９に入力する（ステップＳ２１）。続いて、ＯＦＤＭ信号生成装置１Ｃは、所望チャンネル受信変換手段９によって、所望のチャンネルの地上デジタル放送のＯＦＤＭ信号を中間周波数信号に変換し（ステップＳ２２）、同一チャンネル異種内容信号受信変換手段１５によって、同一チャンネルの異種内容のＯＦＤＭ信号を中間周波数信号とする（ステップＳ２３）。
【００６０】
そして、ＯＦＤＭ信号生成装置１Ｃは、中間周波数信号合成手段１７のレベル調整手段１７ａによって、同一チャンネル異種内容信号受信変換手段１５で得られた中間周波数信号のレベルを調整し（ステップＳ２４）、中間周波数信号合成手段１７によって、レベルを調整した中間周波数信号とレベルを調整しなかった中間周波数信号を合成（加算）する（ステップＳ２５）。
【００６１】
その後、ＯＦＤＭ信号生成装置１Ｃは、復調手段７によって、中間周波数信号合成手段１７で合成した結果（所望の搬送波対雑音比のＯＦＤＭ信号）を復調して、外部に接続されている装置に出力する（ステップＳ２６）
【００６２】
〈ＯＦＤＭ信号生成装置の構成（第四実施形態）〉
図７は、ＯＦＤＭ信号生成装置（第四実施形態）のブロック図である。この図７に示すように、ＯＦＤＭ信号生成装置（ＯＦＤＭ信号Ｃ／Ｎ生成装置）１Ｄ（１）は、地上デジタル放送において、所望の搬送波対雑音比（Ｃ／Ｎ、ＣＮ比）のＯＦＤＭ信号を生成するもので、局部発振周波数信号生成手段１９と、第一受信変換手段２１と、第二受信変換手段２３と、信号合成手段２５と、復調手段７とを備えている。なお、図１に示したＯＦＤＭ信号生成装置１Ａに含まれている構成と同様の構成については、同一の符号を付して、その説明を省略する。
【００６３】
局部発振周波数信号生成手段１９は、所望チャンネルの地上デジタル放送のＯＦＤＭ信号の中心周波数よりも中間周波数だけ高い局部発振周波数信号と、当該中心周波数よりも中間周波数だけ低い局部発振周波数信号とを生成するもので、ｆ0局部発振部１９ａと、ＩＦ局部発振部１９ｂと、乗算部１９ｃと、フィルタ部１９ｄと、フィルタ部１９ｅとを備えている。
【００６４】
ｆ0局部発振部１９ａは、所望チャンネルの地上デジタル放送のＯＦＤＭ信号（希望波）の中心周波数ｆ0の信号を発振（発生）させるものである。
ＩＦ局部発振部１９ｂは、中間周波数ＩＦの信号を発振（発生）させるものである。なお、これらｆ0局部発振部１９ａおよびＩＦ局部発振部１９ｂで発振された周波数の信号をそれぞれ中心周波数信号ｆ0、中間周波数信号ＩＦということにする。
【００６５】
乗算部１９ｃは、ｆ0局部発振部１９ａで発生された中心周波数信号ｆ0と、ＩＦ局部発振部１９ｂで発生された中間周波数信号ＩＦとを乗算することで、局部発振周波数信号ｆ0±ＩＦを生成するものである。
【００６６】
フィルタ部１９ｄは、バンドパスフィルタ等によって構成されており、乗算部１９ｃで生成された局部発振周波数信号ｆ0±ＩＦの上側周波数の局部発振周波数信号ｆ0＋ＩＦを通過させるものである。
フィルタ部１９ｅは、バンドパスフィルタ等によって構成されており、乗算部１９ｃで生成された局部発振周波数信号ｆ0±ＩＦの下側周波数の局部発振周波数信号ｆ0−ＩＦを通過させるものである。
【００６７】
第一受信変換手段２１は、地上デジタル放送の無線周波数のＯＦＤＭ信号と、フィルタ部１９ｄを通過した上側周波数の局部発振周波数信号ｆ0＋ＩＦとに基づいて、スペクトルのキャリア配置が反転した反転中間周波数信号を生成し、この生成した反転中間周波数信号を受信信号（被測定信号）として出力するものである。
【００６８】
第二受信変換手段２３は、地上デジタル放送の無線周波数のＯＦＤＭ信号と、フィルタ部１９ｅを通過した下側周波数の局部発振周波数信号ｆ0−ＩＦとに基づいて、スペクトルのキャリア配置が非反転の非反転中間周波数信号を生成し、この生成した非反転中間周波数信号を、ホワイトガウス雑音源信号として出力するものである。
【００６９】
信号合成手段２５は、第一受信変換手段２１で生成された受信信号（被測定信号）と、第二受信変換手段２３で生成されたホワイトガウス雑音源信号とを合成（加算）するもので、レベル調整手段２５ａを備えている。
【００７０】
レベル調整手段２５ａは、可変抵抗（ＡＴＴｅｎｕａｔｉｏｎ：減衰量Ｌ）等によって構成されており、第一受信変換手段２１で生成された受信信号（被測定信号）と、第二受信変換手段２３で生成されたホワイトガウス雑音源信号のレベル（電力レベル）を調整するものである。
【００７１】
このＯＦＤＭ信号生成装置１Ｄによれば、局部発振周波数信号生成手段１９によって、局部発振周波数信号ｆ0±ＩＦを生成し、第一受信変換手段２１によって、地上デジタル放送の無線周波数信号と局部発振周波数信号ｆ0＋ＩＦとによりスペクトルのキャリア配置が反転した反転中間周波数信号を生成し、この反転中間周波数信号を受信信号とし、第二受信変換手段２３によって、無線周波数信号と局部発振周波数信号ｆ0−ＩＦとによりスペクトルのキャリア配置が非反転の非反転中間周波数信号を生成し、この非反転中間周波数信号をホワイトガウス雑音の特性に近似したホワイトガウス雑音源信号とする。そして、信号合成手段２５によって、所望のレベル比で合成することで、所望の搬送波対雑音比のＯＦＤＭ信号を生成しているので、送信側から受信側までに至るあるゆる場所において、従来行われていたＡＷＧＮ法によるＰＲＢＳ信号のような特殊信号で変調する必要がなく、Ｃ／Ｎ、等価Ｃ／Ｎ劣化量、Ｃ／Ｎマージンを測定することができる。
【００７２】
〈ＯＦＤＭ信号生成装置の動作（第四実施形態）〉
次に、図８に示すフローチャートを参照して、ＯＦＤＭ信号生成装置１Ｄの動作について説明する（適宜、図７参照）。
まず、ＯＦＤＭ信号生成装置１Ｄは、局部発振周波数信号生成手段１９のｆ0局部発振部１９ａおよびＩＦ局部発振部１９ｂによって、中心周波数信号ｆ0および中間周波数信号ＩＦを発振（発生）させる（ステップＳ３１）。続いて、ＯＦＤＭ信号生成装置１Ｄは、局部発振周波数信号生成手段１９の乗算部１９ｃによって、中心周波数信号ｆ0と中間周波数信号ＩＦとを乗算して（ステップＳ３２）、局部発振周波数信号ｆ0±ＩＦを生成し、この局部発振周波数信号ｆ0±ＩＦをフィルタ部１９ｄおよびフィルタ部１９ｅに通過させる（ステップＳ３３）。
【００７３】
そして、ＯＦＤＭ信号生成装置１Ｄは、入力された無線周波数のＯＦＤＭ信号を２つに分配し（分岐させ）、第一受信変換手段２１と第二受信変換手段２３とに入力する（ステップＳ３４）。続いて、ＯＦＤＭ信号生成装置１Ｄは、第一受信変換手段２１によって、地上デジタル放送の無線周波数のＯＦＤＭ信号と、フィルタ部１９ｄを通過した上側周波数の局部発振周波数信号ｆ0＋ＩＦとに基づいて、反転中間周波数信号を生成し、この生成した反転中間周波数信号を受信信号（被測定信号）とし（ステップＳ３５）、第二受信変換手段２３によって、地上デジタル放送の無線周波数のＯＦＤＭ信号と、フィルタ部１９ｅを通過した下側周波数の局部発振周波数信号ｆ0−ＩＦとに基づいて、非反転中間周波数信号を生成し、この生成した非反転中間周波数信号を、ホワイトガウス雑音源信号とする（ステップＳ３６）。
【００７４】
そして、ＯＦＤＭ信号生成装置１Ｄは、信号合成手段２５のレベル調整手段２５ａによって、第二受信変換手段２３から出力されたホワイトガウス雑音源信号のレベルを調整し（ステップＳ３７）、信号合成手段２５によって、レベルを調整したホワイトガウス雑音源信号と、レベルを調整しなかった受信信号とを合成（加算）する（ステップＳ３８）。
【００７５】
その後、ＯＦＤＭ信号生成装置１Ｄは、復調手段７によって、信号合成手段２５で合成した結果（所望の搬送波対雑音比のＯＦＤＭ信号）を復調して、外部に接続されている装置に出力する（ステップＳ３９）。
【００７６】
以上、本発明の実施形態について説明したが、本発明は前記実施形態には限定されない。例えば、本実施形態では、ＯＦＤＭ信号生成装置１（１Ａ〜１Ｄ）として説明したが、これらの装置を構成する各構成の処理プロセスをコンピュータ言語で記述したＯＦＤＭ信号生成プログラムとみなすことも可能である。これらの場合、ＯＦＤＭ信号生成装置１（１Ａ〜１Ｄ）と同様の効果を得ることができる。
【図面の簡単な説明】
【００７７】
【図１】本発明の実施形態に係るＯＦＤＭ信号生成装置（第一実施形態）のブロック図である。
【図２】図１に示したＯＦＤＭ信号生成装置の動作を説明したフローチャートである。
【図３】本発明の実施形態に係るＯＦＤＭ信号生成装置（第二実施形態）のブロック図である。
【図４】図３に示したＯＦＤＭ信号生成装置の動作を説明したフローチャートである。
【図５】本発明の実施形態に係るＯＦＤＭ信号生成装置（第三実施形態）のブロック図である。
【図６】図５に示したＯＦＤＭ信号生成装置の動作を説明したフローチャートである。
【図７】本発明の実施形態に係るＯＦＤＭ信号生成装置（第四実施形態）のブロック図である。
【図８】図７に示したＯＦＤＭ信号生成装置の動作を説明したフローチャートである。
【符号の説明】
【００７８】
１、１Ａ、１Ｂ、１Ｃ、１Ｄ    ＯＦＤＭ信号生成装置（ＯＦＤＭ信号Ｃ／Ｎ生成装置）
３                            遅延手段
５、２５                      信号合成手段
５ａ、１３ａ、１７ａ、２５ａ  レベル調整手段
７                            復調手段
９                            所望チャンネル受信変換手段
１１                          他チャンネル受信変換手段
１３                          中間周波数信号合成手段
１５                          同一チャンネル異種内容信号受信変換手段
１７                          中間周波数信号合成手段
１９                          局部発振周波数信号生成手段
１９ａ                        ｆ0局部発振部
１９ｂ                        ＩＦ局部発振部
１９ｃ                        乗算部
１９ｄ、１９ｅ                フィルタ部
２１                          第一受信変換手段
２３                          第二受信変換手段
【図１】
2006115181.tif 000003
【図２】
2006115181.tif 000004
【図３】
2006115181.tif 000005
【図４】
2006115181.tif 000006
【図５】
2006115181.tif 000007
【図６】
2006115181.tif 000008
【図７】
2006115181.tif 000009
【図８】
2006115181.tif 000010